(57)【要約】【課題】吐水流の形状の乱れを抑えられる技術を提供する。【解決手段】吐出通路３３が内部に形成される吐水部材１９を備え、吐出通路３３は、水を吐き出すための吐出口１３と、上流側から流入する水を溜めるための貯溜室３７と、貯溜室３７内の水を吐出口１３に送り出すための絞り流路３９とにより形成され、貯溜室３７の上流側には該貯溜室３７の一部を画定する誘導面８１が設けられ、誘導面８１は、貯溜室３７の奥側から絞り流路３９の入口３９ａに向かうにつれて、吐出通路３３の対向する壁面７１、７３同士の間隔を連続的に狭めるように設けられる。【選択図】図７
2019058702.tif 000002
【特許請求の範囲】
【請求項１】
吐出通路が内部に形成される吐水部材を備え、
前記吐出通路は、水を吐き出すための吐出口と、上流側から流入する水を溜めるための貯溜室と、前記貯溜室内の水を前記吐出口に送り出すための絞り流路とにより形成され、
前記貯溜室の上流側には該貯溜室の一部を画定する誘導面が設けられ、
前記誘導面は、前記貯溜室の奥側から前記絞り流路の入口に向かうにつれて、前記吐出通路の対向する壁面同士の間隔を連続的に狭めるように設けられることを特徴とする吐水装置。
【請求項２】
前記誘導面には、前記貯溜室の奥側から前記絞り流路の入口に向かう第１方向と直交する第２方向に並ぶ複数の整流溝部が形成されることを特徴とする請求項１に記載の吐水装置。
【請求項３】
前記吐出通路の対向する壁面の一方には、前記貯溜室内に上流側から水を送り込む流入口が形成され、その対向する壁面の他方には前記誘導面及び前記整流溝部が設けられることを特徴とする請求項２に記載の吐水装置。
【請求項４】
前記誘導面は、前記吐出通路の対向する壁面の両方に設けられることを特徴とする請求項１から３のいずれかに記載の吐水装置。
【請求項５】
前記吐出口は横長なスリット状に形成され、
前記吐出通路は前記吐出口の延びる方向に横長に形成されることを特徴とする請求項１から４のいずれかに記載の吐水装置。
【請求項６】
請求項１〜５のいずれかに記載の吐水装置と、
前記吐水装置が設置される浴槽と、を備えることを特徴とする浴槽装置。
【発明の詳細な説明】
【技術分野】
【０００１】
本発明は、水を吐き出すための吐水装置とこれを備える浴槽装置に関する。
【背景技術】
【０００２】
従来より、膜状の吐水流を吐き出すための吐水装置が知られる（例えば、特許文献１参照）。これは浴槽に設置され、吐水口から吐水流が吐き出される。膜状の吐水流が滝状に流れ落ちる様子は美観に優れるうえ、入浴者の肩に吐水流をかける等してリラックス効果を得られる。
【先行技術文献】
【特許文献】
【０００３】
【特許文献１】特開２００２−１５３３９１号公報
【発明の概要】
【発明が解決しようとする課題】
【０００４】
ところで、この種の吐水装置から吐き出される吐水流は、その形状が乱れ易いことが知られる。本発明者は、その形状の乱れを抑えるうえで、従来の吐水装置の構造について、さらなる改善の余地があると認識するに至った。
【０００５】
本発明は、このような課題に鑑みてなされ、その目的は、吐水流の形状の乱れを抑えられる技術を提供することにある。
【課題を解決するための手段】
【０００６】
上記課題を解決するために、本発明のある態様の吐水装置は、吐出通路が内部に形成される吐水部材を備え、吐出通路は、水を吐き出すための吐出口と、上流側から流入する水を溜めるための貯溜室と、貯溜室内の水を吐出口に送り出すための絞り流路とにより形成され、貯溜室の上流側には該貯溜室の一部を画定する誘導面が設けられ、誘導面は、貯溜室の奥側から絞り流路の入口に向かうにつれて、吐出通路の対向する壁面同士の間隔を連続的に狭めるように設けられる。
この態様によると、貯溜室内から絞り流路の入口に向かう水流は、誘導面に沿ってスムーズに流れることができ、その乱れの発生を抑えられ、吐水流の形状の乱れを抑えられる。
【０００７】
誘導面には、貯溜室の奥側から絞り流路の入口に向かう第１方向と直交する第２方向に並ぶ複数の整流溝部が形成されてもよい。
この態様によると、誘導面の下流側において、流量が大きい領域と流量が小さい領域とが第２方向に交互に設けられ、流量分布の偏りを定常的に生じさせることができる。これら領域を流れる水流は、さらに下流側に向かう途中に流量が均され、その流量の均一化により第２方向での流速分布が均一化するように整流される。この結果、吐出口から吐き出される吐水流の形状の乱れをより抑え易くなる。
【０００８】
吐出通路の対向する壁面の一方には、貯溜室内に上流側から水を送り込む流入口が形成され、その対向する壁面の他方には誘導面及び整流溝部が設けられてもよい。
この態様によると、流入口の近傍から絞り流路の入口に向けて、貯溜室の一方の壁面ではなく他方の壁面に沿うような水流が支配的に流れる。この貯溜室内を支配的に流れる水流を、貯溜室の他方の壁面の整流溝部により効果的に整流できるため、吐出口から吐き出される吐水流の形状の乱れをより一層抑え易くなる。
【０００９】
誘導面は、吐出通路の対向する壁面の両方に設けられてもよい。
この態様によると、貯溜室の容積を大きくし易くなる。よって、貯溜室内の水の水圧を低くして、その流速も低くし易くでき、貯溜室内での流速が均一となるように効果的に整流できる。
【００１０】
吐出口は横長なスリット状に形成され、吐出通路は吐出口の延びる方向に横長に形成されてもよい。
【００１１】
また、本発明の別の態様は浴槽装置に関する。浴槽装置は、前述の態様の吐水装置と、吐水装置が設置される浴槽を備える。
【発明の効果】
【００１２】
本発明によれば、吐水流の形状の乱れを抑えられる。
【図面の簡単な説明】
【００１３】
【図１】実施形態に係る吐水装置の使用状態を示す斜視図である。
【図２】実施形態に係る吐水装置に用いられる給水系を示す構成図である。
【図３】実施形態に係る吐水装置の正面図である。
【図４】図３のＡ−Ａ線断面図である。
【図５】実施形態に係る下側分割部材を示す平面図である。
【図６】実施形態に係る吐水装置の分解斜視図である。
【図７】実施形態に係る吐水部材を示す側面断面図である。
【図８】実施形態に係る上側分割部材を示す底面図である。
【図９】図８のＢ−Ｂ線断面を含む吐水部材の側面断面図である。
【図１０】関連技術に係る吐水部材を示す側面断面図である。
【図１１】実施形態に係る整流溝部の作用効果を説明する図である。
【発明を実施するための形態】
【００１４】
図１は本実施形態に係る吐水装置１０の使用状態を示す斜視図である。
吐水装置１０は浴槽装置２００に用いられる。浴槽装置２００は、吐水装置１０の他に、浴槽２１０を備える。浴槽２１０のリム部２１５には設置面２１７が設けられる。吐水装置１０は、設置面２１７に設置される装置本体１１を備える。装置本体１１は横長扁平に形成され、膜状の横長な吐水流Ｗが吐出口１３から前方に吐き出される。
【００１５】
図２は吐水装置１０に用いられる給水系２２０を示す構成図である。
給水系２２０は、吐水装置１０の上流側に設けられる給水ポンプ２２１を備える。吐水装置１０は、装置本体１１の他に、導水部１５を備える。給水ポンプ２２１は、導水部１５に吐出側導管２２３を介して接続され、給水源となる浴槽２１０に吸引側導管２２５を介して接続される。給水ポンプ２２１は、その駆動により、吸引側導管２２５を通して浴槽２１０内の浴槽水２１１を吸引し、吐出側導管２２３を通して導水部１５に水を圧送する。吐水装置１０は導水部１５に水が圧送されると装置本体１１から吐水流Ｗを吐き出す。
【００１６】
図３は吐水装置１０の正面図である。
装置本体１１の前部には、横長なスリット状の吐出口１３が設けられる。導水部１５は、吐出口１３の横幅方向に間隔を空けて装置本体１１から下方に突き出るように複数設けられる。なお、以下の説明では、吐出口１３の横幅方向を方向Ｘ、これに直交する水平方向を前後方向Ｙ、鉛直方向を上下方向Ｚという。方向Ｘは後述する吐出通路３３の横幅方向とも一致する。
【００１７】
図４は吐水装置１０の側面断面図である。本図は図３のＡ−Ａ線断面図でもある。
導水部１５は、設置面２１７に形成される貫通孔２２９に挿通される。導水部１５には下流側に給水するための導水路１７が内部に形成され、その先端部には吐出側導管２２３が接続される。導水部１５の設置面２１７と反対側に突き出た部位にはナット等の固定部材２３１がねじ込み等により取り付けられる。装置本体１１は、固定部材２３１との間で浴槽２１０を挟み込むことにより浴槽２１０に固定される。なお、固定部材２３１と浴槽２１０の間にはＯリング等のシールリング２３３が介装される。
【００１８】
装置本体１１は、吐水部材１９と、外装カバー２１を備え、これらを組み付けて構成される。吐水部材１９は、吐出口１３が前部に形成される通路部２３と、通路部２３上に設けられる天面部２５と、通路部２３の前部上面に設けられる照明取付部２７と、を有する。天面部２５の上面は、外装カバー２１の上面と面一になるように設けられ、これらにより装置本体１１の上面が構成される。天面部２５と通路部２３の間には中空空間２９が設けられる。照明取付部２７には照明装置３１が取り付けられる。照明装置３１は所定の波長の有色光や白色光を前方に投光する。これは吐水流Ｗや入浴者等に投光され、良好な視覚効果が得られる。
【００１９】
外装カバー２１は吐水部材１９の前部に脱着可能に取り付けられる。外装カバー２１は、照明装置３１を上方から覆うとともに、吐水部材１９の横幅方向Ｘ両端部１９ａ（図３参照）を前方から覆うように設けられる。
【００２０】
通路部２３は、その内部に吐出口１３を含む吐出通路３３が形成される。吐出通路３３は、上流側の導水路１７と下流側の外部空間２３５を連通する。吐出通路３３は、吐出口１３の延びる方向に横長な形状を有し、吐出口１３と、後述する貯溜室３７と、絞り流路３９とにより形成される。
【００２１】
吐出通路３３の下壁面７１には、貯溜室３７内に水を送り込む流入口３５が複数形成される。貯溜室３７には上流側となる導水路１７から流入口３５を通して水が流入し、その水が貯溜水として一時的に溜められる。貯溜室３７は、吐出通路３３の上下に対向する一対の下壁面７１と上壁面７３が、絞り流路３９の入口３９ａより、互いに離れる方向に広がるように形成される。なお、これら下壁面７１と上壁面７３は、吐出通路３３の横幅方向Ｘと直交する方向に対向する。
【００２２】
絞り流路３９は貯溜室３７の下流側に設けられ、貯溜室３７と吐出口１３を連通する。絞り流路３９は、一対の下壁面７１と上壁面７３との間隔である通路高さが貯溜室３７より小さくなるように形成される。絞り流路３９は、その入口３９ａから吐出口１３までの範囲にかけて、略一定の通路高さに形成される。貯溜室３７内の貯溜水は絞り流路３９を通して吐出口１３に送り出される。貯溜水は絞り流路３９を通るときに絞られることで流速が高まり、吐出口１３から勢いよく吐水流Ｗが吐き出される。
【００２３】
図５は吐出通路３３を示す平面図である。本図は後述の下側分割部材５１の平面図でもある。
吐出通路３３の横幅方向Ｘ、前後方向Ｙの寸法を通路幅、奥行寸法とすると、吐出通路３３は、平面視において、通路幅より奥行寸法が小さくなるように形成される。また、吐出通路３３は、その横断面（図示しない）が通路高さより通路幅が大きくなるように横長に形成される。吐出通路３３の横幅方向Ｘ両側の側壁面３３ａは、貯溜室３７の奥側から吐出口１３側に近づくにつれて、吐出通路３３の通路幅が広がるように形成される。
【００２４】
通路部２３は、図４、図５に示すように、下壁部４１と、上壁部４３と、一対の横壁部４５と、奥壁部４７とを有し、これらの内壁面により吐出通路３３が画定される。下壁部４１及び上壁部４３は吐出通路３３の上下方向Ｚ両側に設けられる。一対の横壁部４５は、吐出通路３３の横幅方向Ｘ両側に設けられる。奥壁部４７は、吐出通路３３の吐出口１３とは反対側の奥側に設けられる。一対の横壁部４５及び奥壁部４７は、吐出通路３３の横幅方向Ｘ両側と奥側との三方から吐出通路３３を囲む周壁部４９として設けられる。
【００２５】
図６は吐水装置１０の分解斜視図である。
吐水部材１９は、第１分割部材としての下側分割部材５１と、第２分割部材としての上側分割部材５３をねじ等の固定具（図示せず）により組み付けて構成される。各分割部材５１、５３は樹脂成形品であり、吐水部材１９の周壁部４９を境界として上下に分割した形状を有する。
【００２６】
図７は吐出通路３３を拡大して示す側面断面図である。
貯溜室３７の上流側には貯溜室３７の一部を画定する誘導面８１が設けられる。誘導面８１は、吐出通路３３の対向する下壁面７１と上壁面７３の両方に設けられる。誘導面８１は、貯溜室３７の奥側から絞り流路３９の入口３９ａに向かうにつれて、貯溜室３７の対向する壁面７１、７３同士の間隔（以下、壁面間隔という）を連続的に狭めるように設けられる。下壁面７１の誘導面８１は、流入口３５より上流側である前方にずれた位置８３から、絞り流路３９の入口３９ａにかけて設けられる。上壁面７３の誘導面８１も、流入口３５より前方にずれた位置８５から、絞り流路３９の入口３９ａにかけて設けられる。各誘導面８１は、その表面に沿って水流が剥離することなくスムーズに流れるように、段差のない直線状に形成されるが、円弧状に形成されてもよい。
【００２７】
絞り流路３９は、その内部を流れる水流の流れ方向Ｐ１に沿った縦断面視において、下壁面７１と上壁面７３の中心を通る中心線Ｌ１が、上流側から下流側に向かうにつれて、僅かに上向きに傾斜するように形成される。これにより、吐出口１３から前方上側に向けて吐水流Ｗを吐き出し可能となる。
【００２８】
なお、吐出通路３３の下壁面７１は、吐出口１３から流入口３５にかけての範囲において、流入口３５側に向けて下り勾配となるように形成される。これにより、下壁面７１上の水が流入口３５まで流下し易くなり、下壁面７１上に水が残るのを抑えられる。
【００２９】
図８は上側分割部材５３の底面図を示す。
上壁面７３の誘導面８１には複数の整流溝部８７が形成される。各整流溝部８７は、貯溜室３７の奥側（図８中上側）から絞り流路３９の入口３９ａに向かう第１方向としての前後方向Ｙに延びるように形成される。また、各整流溝部８７は、その前後方向Ｙと直交する第２方向としての横幅方向Ｘに並ぶように略等間隔を空けて形成される。
【００３０】
図９は図８のＢ−Ｂ線断面を含む吐水部材１９の側面断面図を示す。
整流溝部８７は、誘導面８１の奥端部８１ａから絞り流路３９の入口３９ａにかけての範囲の途中位置に形成される。整流溝部８７は、その溝底面８７ａが円弧状に形成される。より詳細には、整流溝部８７の上流側部分８９は、絞り流路３９の入口３９ａ側に向かうにつれて、連続的に溝深さが深くなるように形成される。また、整流溝部８７の下流側部分９１は、絞り流路３９の入口３９ａ側に向かうにつれて、連続的に溝深さが浅くなるように形成される。また、整流溝部８７の溝側面８７ｂは、前後方向Ｙに沿うように平面状に形成される。
【００３１】
以上の実施形態に係る吐水装置１０の動作を説明する。
吐水部材１９では、図４に示すように、予め定められた流量の水が給水ポンプ２２１（図２参照）から圧送され、その水が導水路１７を通して流入口３５から貯溜室３７内に流入し、貯溜室３７内に一時的に貯溜水として溜められる。貯溜室３７内に貯溜水が溜められた状態で流入口３５から水が送り込まれることにより、貯溜室３７内の貯溜水が加圧され、その水圧により絞り流路３９を通して貯溜水が吐出口１３に送り出され、吐出口１３から吐水流Ｗが吐き出される。
【００３２】
ここで、上流側である流入口３５から流入する水は、流入口３５から絞り流路３９の入口３９ａに向けて広がるように流れる。この水流は、貯溜室３７を通るときに、吐出通路３３の通路高さを一定にする場合より流速が大きく低下し、流入口３５から絞り流路３９の入口３９ａに到達するまでの間に、吐出通路３３の横幅方向Ｘで流速が均一となるように効果的に整流される。
【００３３】
以上の吐水装置１０の作用効果を説明する。
吐出通路３３内に供給される水流は、流入口３５から流入したときの急激な流路断面の変化により乱れが生じ易い。また、横長な吐水流Ｗを勢いよく吐き出すうえで、吐出通路３３は、その通路幅が広く、かつ、その通路高さが低い断面形状となる。よって、その内部を流れる水流も横長で薄い形状となり、吐出通路３３内での乱流や異物の引っかかり等の影響を受け易くなる。また、流入口３５から吐出口１３までの距離は吐出口１３の横幅方向位置により変化し、吐出口１３の横幅寸法、つまり、吐水流Ｗの横幅寸法が大きくなるほど、その最小距離と最大距離との差が大きくなり易い。以上の要因から、吐出口１３から吐き出される吐水流Ｗは、かりに、吐出通路３３に貯溜室３７がない場合、吐出口１３の横幅方向Ｘで流速がばらつき易くなり、その形状が乱れ易くなる。
【００３４】
この点、本実施形態に係る吐水部材１９は、吐出通路３３に貯溜室３７が形成されるため、吐出通路３３内の水流の流速が貯溜室３７を通るときに低下し、貯溜室３７内で横幅方向Ｘでの流速が均一となるように効果的に整流できる。よって、吐出口１３から吐き出される吐水流Ｗは、その横幅方向Ｘで流速を均一にし易くなり、その形状の乱れを抑えることにより、美観に優れた吐水流Ｗにすることが可能となる。また、美観に優れた吐水流Ｗを入浴者の肩にかける等することにより、更なるリラックス効果を得られる。
【００３５】
図１０は関連技術に係る吐水部材３１９を示す側面断面図である。
この吐水部材３１９は、誘導面８１以外は本実施形態と構造が共通する。本図では、本実施形態に係る吐水部材１９と対応する構成要素には符号に３００を加算して示し、その説明を省略する。
【００３６】
吐出通路３３３の上壁面３７３と下壁面３７１の両方には、貯溜室３３７の上流側に誘導面８１ではなく段部３８２が形成される。これら壁面３７３、３７１は、貯溜室３３７の奥側から絞り流路３３９の入口３３９ａに向かうにつれて、それらの壁面間隔を段階的に狭めるように形成されることになる。
【００３７】
関連技術に係る吐水部材３１９では、流入口３３５から貯溜室３３７内に流入する水が絞り流路３３９の入口３３９ａに向けて流れるとき、貯溜室３３７の段部３８２により流れが妨げられる。この結果、その段部３８２付近の領域Ｓ１にて水流の滞留が発生し易くなり、その滞留により水流の乱れや圧力損失が発生する恐れがある。
【００３８】
一方、本実施形態に係る吐水部材１９では、貯溜室３７の奥側から絞り流路３９の入口３９ａに向かうにつれて壁面間隔を連続的に狭めるような誘導面８１が形成される。よって、貯溜室３７内から絞り流路３９の入口３９ａに向かう水流は、その近傍で流れが妨げられず、誘導面８１に沿ってスムーズに流れることができ、乱れや圧力損失の発生を抑えられる。この結果、吐出通路３３内での水流の乱れを抑えられるため、吐水流Ｗの形状の乱れを抑えられる。また、吐出通路３３内での水流の圧力損失を抑えられるため、給水ポンプ２２１の動力が少なくとも吐水流Ｗを勢いよく吐き出し可能となり、吐水流Ｗの飛距離を大きくできる。また、吐出通路３３内での滞留の発生を抑えられるため、水流に混入する異物が滞留により吐出通路３３の壁面に付着し難くなり、異物の付着を抑えられる。
【００３９】
また、誘導面８１には、複数の整流溝部８７が形成されるため、以下の利点がある。図１１は、吐出通路３３内を流れる水流を模式的に示す図である。本図では水流の流れる方向を矢印で示す。誘導面８１に沿って流れる水流は、その一部が整流溝部８７内を前後方向Ｙに流れ、残りが整流溝部８７の間を流れる。
【００４０】
整流溝部８７内を流れる水流は、図９に示すように、絞り流路３９の入口３９ａに近づくにつれて整流溝部８７から方向Ｑ１に押し出され、整流溝部８７の下流側部分９１から外側に流出する。そして、整流溝部８７の下流側部分９１の近傍にある領域Ｒ１（以下、第１領域Ｒ１という）において、整流溝部８７外を流れる水流と合流する。
【００４１】
ここで、図１１に示すように、横幅方向Ｙに隣り合う第１領域Ｒ１の間の第２領域Ｒ２には整流溝部８７の間を通る水流が流れる。第１領域Ｒ１では、整流溝部８７の内外を流れる水流が合流しているため、第２領域Ｒ２より流量が大きくなる。よって、誘導面８１の下流側では、流量が大きい第１領域Ｒ１と、流量が小さい第２領域Ｒ２とが横幅方向Ｙに交互に設けられる。つまり、複数の整流溝部８７を設けることにより、誘導面８１の下流側に流量分布の偏りを定常的に生じさせることができる。この第１領域Ｒ１と第２領域Ｒ２を流れる水流は、さらに下流側に向かう途中に流量が均され、その流量の均一化により横幅方向Ｘでの流速分布が均一化するように整流される。この結果、吐出口１３から吐き出される吐水流Ｗの形状の乱れをより抑え易くなる。
【００４２】
特に、本実施形態では、吐出通路３３の対向する一対の下壁面７１、上壁面７３のうち、下壁面７１に流入口３５が形成され、上壁面７３に誘導面８１及び整流溝部８７が設けられるため、以下の利点がある。流入口３５から流入した水流は吐出通路３３の上壁面７３に突き当たり、そこから拡散して貯溜室３７内に広がるように流れる。よって、流入口３５の近傍から絞り流路３９の入口３９ａに向けて、吐出通路３３の下壁面７１ではなく上壁面７３に沿うような水流が支配的に流れる。この吐出通路３３内を支配的に流れる水流を、吐出通路３３の上壁面７３の整流溝部８７により効果的に整流できるため、吐出口１３から吐き出される吐水流Ｗの形状の乱れをより一層抑え易くなる。
【００４３】
また、吐水部材１９の成形過程において、冷却時の素材収縮により誘導面８１にヒケが発生してしまうと、誘導面８１に沿って流れる水流の形状が乱れかねない。この点、本実施形態では、誘導面８１に複数の整流溝部８７が形成されることにより、誘導面８１を含む部位にいわゆる肉盗みが設けられることになる。よって、その誘導面８１でのヒケの発生を抑え易くなり、誘導面８１に沿った水流の乱れを抑え、吐出口１３から吐き出される吐水流Ｗの形状の乱れをより抑え易くなる。
【００４４】
また、誘導面８１は、上壁面７３と下壁面７１の両方に形成されるため、絞り流路３９の入口３９ａよりも、これらが離れる方向の両側に広がるように貯溜室３７が形成されることになる。よって、貯溜室３７が、一対の壁面７１、７３の一方のみが離れる方向に広がるように形成される場合よりも、その容積を大きくし易くなる。この結果、貯溜室３７内の貯溜水の水圧を低くして、その流速も低くし易くなり、貯溜室３７内で横幅方向Ｘでの流速が均一となるようにより効果的に整流できる。
【００４５】
以上、実施の形態に基づき本発明を説明したが、実施の形態は、本発明の原理、応用を示すにすぎない。また、実施の形態には、請求の範囲に規定された本発明の思想を逸脱しない範囲において、多くの変形例や配置の変更が可能である。
【００４６】
吐水装置１０は、その設置対象となる基体が浴槽２１０である例を説明したが、基体の具体的構成はこれに限られない。吐水装置１０は、この他にも洗面所の洗面台や、キッチンの流し台等を基体として設置されてもよい。いずれの場合でも、基体に設置面２１７を設け、その設置面２１７に吐水装置１０を設置してもよい。
【００４７】
吐出口１３は横長なスリット状に形成され、吐出通路３３は吐出口１３の延びる方向に横長に形成された。これらの形状はこれに限られず、たとえば、円形状等に形成されてもよい。
【００４８】
上側分割部材５３と下側分割部材５１は樹脂成形品である例を説明したが、他の金属鋳造品等でもよい。上側分割部材５３と下側分割部材５１は、吐水部材１９を上下に分割した形状を有する第１分割部材、第２分割部材として説明した。これらは、この他にも、横幅方向Ｘに分割した形状を有していてもよい。また、吐水部材１９は、複数の分割部材により構成されずに、一体成形品により構成されてもよい。
【００４９】
下側分割部材５１と上側分割部材５３は固定具により脱着可能に組み付けられたが、これに限られず、スナップフィット等により組み付けられてもよい。流入口３５は吐出通路３３の下壁面７１に形成されたが、吐出通路３３の壁面に形成されていればよく、上壁面７３、奥壁面または側壁面に形成されてもよい。
【００５０】
誘導面８１は、吐出通路３３の対向する上壁面７３と下壁面７１の両方に形成される例を説明したが、対向する壁面の少なくとも一方に形成されていればよい。また、整流溝部８７は、上壁面７３に形成される例を説明したが、下壁面７１に形成されてもよい。ただし、上述のように吐出通路３３内を支配的に流れる水流を整流する観点からは、対向する壁面７１、７３の一方に流入口３５が形成され、他方に誘導面８１及び整流溝部８７が設けられるとよい。
【符号の説明】
【００５１】
１０  吐水装置、  １３  吐出口、  １９  吐水部材、  ３３  吐出通路、  ３５  流入口、  ３７  貯溜室、  ３９  絞り流路、  ３９ａ  入口、  ７１  壁面、  ８１  誘導面、  ８７  整流溝部、  ２００  浴槽装置、  ２１０  浴槽。
【図１】
2019058702.tif 000003
【図２】
2019058702.tif 000004
【図３】
2019058702.tif 000005
【図４】
2019058702.tif 000006
【図５】
2019058702.tif 000007
【図６】
2019058702.tif 000008
【図７】
2019058702.tif 000009
【図８】
2019058702.tif 000010
【図９】
2019058702.tif 000011
【図１０】
2019058702.tif 000012
【図１１】
2019058702.tif 000013
【手続補正書】
【提出日】平成30年12月14日(2018.12.14)
【手続補正１】
【補正対象書類名】特許請求の範囲
【補正対象項目名】全文
【補正方法】変更
【補正の内容】
【特許請求の範囲】
【請求項１】
吐出通路が内部に形成される吐水部材を備え、
前記吐出通路には、水を吐き出す吐出口と、上流側から流入する水を溜める貯溜室と、前記貯溜室内の水を前記吐出口に送り出す絞り流路とが形成され、
前記吐出通路の対向する壁面のうちの一方の壁面には、前記貯溜室内に上流側から水を送り込む流入口が形成され、
前記流入口を通る側面断面における水平方向を前後方向というとき、
前記吐出通路の対向する壁面のうちの他方の壁面は、前記流入口から流入した水流が突き当たる第１の面と、前記第１の面と第１の境界部を介して連なり、前記前後方向から見て前記第１の境界部から前記一方の壁面側に向けて延びる第２の面とを有し、
前記一方の壁面は、前記流入口が形成される第３の面と、前記第３の面と第２の境界部を介して連なり、前記前後方向から見て前記第２の境界部から前記他方の壁面側に向けて延びる第４の面とを有し、
前記第１の境界部は、前記第２の境界部より前記前後方向で前記吐出通路の奥側に設けられることを特徴とする吐水装置。
【請求項２】
請求項１に記載の吐水装置と、
前記吐水装置が設置される浴槽と、を備えることを特徴とする浴槽装置。